(57)【要約】      （修正有）【課題】夏期での自動車室内の温度上昇を防ぎ冬期にはフロント硝子外面への霜、雪等のフロント硝子面への付着を防止させ又、補助具を折りたたみとしフロント硝子面の１０分の１と小形化する事で取付、取外し時間を短縮させる補助具を提供する。【解決手段】自動車フロント硝子外面に防水布カバー１を覆うことにより直射日光を遮断し又霜雪等のフロント硝子面への付着を防ぐ。防水布カバー１にウレタン板１４、１５、１６、１７、１８、１９、２０、２１、２２、２３を接着させ折りたたみ小形化とする。防水布カバー１の周囲にベルト磁石板ゴム２、３、４、５、ベルト磁石６、７、８、９、を接着させ防水布カバーの取付、取外しを容易にし又フロントウインド外枠に密着させ吹はがしを防止する。防水布カバー１に面ファスナー１０、１１、１２、１３、２４、２５、を接着し防水布カバー１の強風等による剥がれ防止としてサイドミラー内側で固定させる。【選択図】図１０
0003151577.tif 000002
【実用新案登録請求の範囲】
【請求項１】
防水布カバー又はビニール材からなるカバー裏面にウレタン板．又は発泡板からなる芯板を防水布カバーの内側へ上下．左右の間隔で接着させ  その周囲にベルト磁石．ベルト磁石板ゴム．面ファスナーを複数個所接着させ．折りたたみ．小形化を特徴とし霜．雪等の付着防止と直射日光を遮断させる自動車フロント硝子補助具
【請求項２】
防水布カバー又はビニール材からなるカバー裏面の周囲へベルト磁石及びベルト磁石一体化板ゴムを複数接着一体化ゴムのすべりにくさによる防水布カバーの横ずれを防ぐ．特徴を持つ自動車フロント硝子補助具
【請求項３】
防水布カバー又はビニール材からなるカバー裏面の左右両端へ面ファスナーを複数枚接着させ防水布カバーの両端を左右サイドミラーの内側で重ね合せ布カバーを固定し防水布カバーの吹き剥がれ防止と防水布カバーの盗難を防止を併せ持つ自動車フロント硝子補助具
【考案の詳細な説明】
【技術分野】
【０００１】本考案は自動車フロント硝子外面に防水布カバーを覆い直射日光の遮断と硝子面への霜．雪等の付着を防止させるもの
【背景技術】
【０００２】これまで自動車用品として販売されている日除け遮断を目的として室内にて取付折りたたみ式で簡単な商品はあるがフロント硝子外面を覆う商品はまだ見当たらない
【考案が解決しょうとする課題】
【０００３】現時点でフロント硝子面を覆う商品はまだ見かけないが平成１３年特開２００２−２６４６６３で自動車ガラス窓熱線遮断．着用防止マスクとして発砲材を使いウインド面を覆う提案はあるがコンパクトでなく取り付け取り外しが不便である
他に平成１０年特開２０００−１１８２４５．平成１３年実開平４１９２３として提案されているがそれぞれコンパクトでなく使い勝手が悪い
本考案は車外フロント硝子面を防水布カバーで覆う事により直射日光の遮断と霜．雪等の付着を防止させ小形で取り付け取り外しの不便さを解決することを課題とする
【考案が解決するための手段】
【０００４】この課題を解決するため請求頁１の考案は防水布カバー（図１参照）の裏面に芯板としてウレタン板１０枚を上下左右の間隔を置き接着させ折りたたみを可能とし防水布カバーを小形化．とし取り付け取り外し時間を短縮させる
【０００５】請求頁２では防水布カバー（図１０参照）の周囲にベルト磁石．ベルト磁石板ゴム（一体品）を複数接着させウインド外枠（図１０参照）Ｃへの密着と風等による横ずれを防止させる
【０００６】請求頁３では防水布カバー（図１参照）の両端に面ファスナー（図１３参照）を接着させサイドミラー（図１３参照）Ｂの内側にて重ね合わせ固定し防水布カバーの風などによる剥がれを防止させる．尚サイドミラー（図１５参照）を電動により折り曲げ格納させる事で面ファスナーの合わせ部分が剥がしにくくなり防水布カバーの盗難を防ぐ効果がある
【考案の効果】
【０００７】よって本考案の防水布カバーの使用により夏期には直射日光による車内温度の上昇を防ぎ冬期にはフロント硝子面への霜．雪等の付着を防止する事が出来面倒な霜．雪等の除去時間を省く事が出来る゜尚この結果暖房．冷房時間の短縮により燃費の改善に繋がる
【考案を実施するための最良の形態】
【０００８】本考案に係る防水布カバー（図９）に示すように対象とする自動車のフロントウインド外枠より一回り大きめの防水布カバー（図１）の裏面に芯だし板としてウレタン板等を上下左右の間隔を保ち複数枚接着させ．その周辺にベルト磁石．ベルト磁石板ゴム及び面ファスナーを左右に複数枚接着．折りたたみ（図２）とする
尚．取付方法として（図４）に示すようにウインド外枠上部へベルト磁石により接着．
（図５）は（図１２）のように下に開き下部ボンネットにベルト磁石にて接着．固定させる
（図６）は折りたたみ防水布カバーを左に開き（図１１）に示すように左ウインド外枠へベルト磁石．ベルト磁石板ゴムにて接着固定防水布カバー左端をサイドミラー内側へ面ファスナーを重ね合わせ固定する
（図７）（図８）は防水布カバーを右に開き（図９）は更に右に開きウインド外枠上部へベルト磁石で固定下部ボンネットにもベルト磁石で固定させる
（図１０）は更に右に開き防水布カバーを右側ウインド外枠上部へベルト磁石．．下部へベルト磁石板ゴムにて接着固定し防水布カバー右端をサイドミラー内側へ面ファスナーを重ね合わせ固定させ取付が終了する．
尚．防水布カバーの取外しについては（図９）（図８）（図７）（図６）（図５）（図４）の順で取付とは逆の順番で行い（図２）の状態で収納する
【図面の簡単な説明】
【０００９】
【図１】は防水布カバー裏面から見た正面図である
【図２】は防水布カバーを折りたたんだ状態の正面図である
【図３】は自動車ウインド外枠上部に防水布カバーの折りたたみ状態をベルト磁石にて接着させた左斜視図である
【図４】は自動車ウインド外枠に防水布カバーを折りたたみ状態でベルト磁石にて接着させた状態の正面図である
【図５】は防水布カバーを（図４）の状態より下に伸ばしベルト磁石を下部ボンネットに接着した状態の正面図である
【図６】は防水布カバーを左に開き上部．下部へベルト磁石．ベルト磁石板ゴムを接着させ面ファスナをサイドミラー内側に固定させた状態の正面図である
【図７】は防水布カバーを右に開いた状態の正面図である
【図８】は防水布カバーを更に右に開いた状態の正面図である
【図９】は防水布カバーを（図８）より更に右に開き上部ウインド外枠にベルト磁石にて接着固定し下部ボンネットにもベルト磁石で接着した状態の正面図である
【図１０】は防水布カバーを右に開き上部ウインド外枠へベルト磁石で接着させ下部ウインド外枠にベルト磁石板ゴムを接着させ右サイドミラー内側に面ファスナーにて固定させ防水布カバーがウインド外枠に取付が完成した状態の正面図である
【図１１】は防水布カバーを左ウインド外枠へ取付されサイドミラー内側に面ファスナーの合わせ重ね部の左側面図である
【図１２】は防水布カバーの折りたたみ終了状態より開く途中での左斜視図である
【図１３】は防水布カバーをウインド外枠に固定．面ファスナーとベルト磁石板ゴム位置状態の左側面図である
【図１４】はベルト磁石板ゴムの斜視図である
【図１５】は防水布カバーをウインド外枠にベルト磁石．ベルト磁石板ゴム及び面ファスナーにて固定されサイドミラーが折りたたみ状態の左側面図である
【図１】
0003151577.tif 000003
【図２】
0003151577.tif 000004
【図３】
0003151577.tif 000005
【図４】
0003151577.tif 000006
【図５】
0003151577.tif 000007
【図６】
0003151577.tif 000008
【図７】
0003151577.tif 000009
【図８】
0003151577.tif 000010
【図９】
0003151577.tif 000011
【図１０】
0003151577.tif 000012
【図１１】
0003151577.tif 000013
【図１２】
0003151577.tif 000014
【図１３】
0003151577.tif 000015
【図１４】
0003151577.tif 000016
【図１５】
0003151577.tif 000017
【手続補正書】
【提出日】平成21年3月30日(2009.3.30)
【手続補正１】
【補正対象書類名】実用新案登録請求の範囲
【補正対象項目名】全文
【補正方法】変更
【補正の内容】
【実用新案登録請求の範囲】
【請求項１】
防水布カバ−又はビニ−ル材からなるカバ−裏面にウレタン板又は発泡板からなる複数の芯板を防水布カバ−の内側へ上下左右の間隔を置いて接着させその周囲にベルト状磁石．ベルト状磁石一体化板ゴム．面ファスナーを複数個所接着させ．折たたみ．小型化を特徴とし．霜．雪等の付着防止と直射日光を遮断させる自動車フロント硝子補助具
【請求項２】
防水布カバ−又はビニ−ル材からなるカバ−裏面の周囲へベルト状磁石及びベルト状磁石が一体化された板ゴムを複数接着．一体化ゴムのすべりにくさによる防水布カバ−の横ずれを防ぐ．特徴を持つ請求項１に記載の自動車フロント硝子補助具
【請求項３】
防水布カバ−又はビニ−ル材からなるカバ−裏面の左右両端へ面ファスナ−を複数枚接着させ防水布カバ−の両端を左右サイドミラ−内側で重ね合わせ布カバ−を固定し防水布カバ−の吹き剥がれ防止と防水布カバ−の盗難の防止を併せ持つ請求項１記載の自動車フロント硝子補助具
【手続補正２】
【補正対象書類名】明細書
【補正対象項目名】全文
【補正方法】変更
【補正の内容】
【考案の詳細な説明】
【技術分野】
【０００１】本考案は自動車フロント硝子外面に防水布カバーを覆い直射日光の遮断と硝子面への霜．雪等の付着を防止させるもの
【背景技術】
【０００２】これまで自動車用品として販売されている日除け遮断を目的として室内にて取付折りたたみ式で簡単な商品はあるがフロント硝子外面を覆う商品はまだ見当たらない
【考案が解決しょうとする課題】
【０００３】現時点でフロント硝子面を覆う商品はまだ見かけないが平成１３年特開２００２−２６４６６３で自動車ガラス窓熱線遮断．着用防止マスクとして発砲材を使いウインド面を覆う提案はあるがコンパクトでなく取り付け取り外しが不便である
他に平成１０年特開２０００−１１８２４５．平成１３年実開平４１９２３として提案されているがそれぞれコンパクトでなく使い勝手が悪い
本考案は車外フロント硝子面を防水布カバーで覆う事により直射日光の遮断と霜．雪等の付着を防止させ小形で取り付け取り外しの不便さを解決することを課題とする
【考案が解決するための手段】
【０００４】この課題を解決するため請求頁１の考案は防水布カバー［図１参照］の裏面に芯板としてウレタン板１０枚を上下左右の間隔を置き接着させ折りたたみを可能とし防水布カバーを小形化．とし取り付け取り外し時間を短縮させる
【０００５】請求頁２では防水布カバー［図１０参照］の周囲にベルト状磁石．ベルト状磁石一体化ゴムを複数接着させウインド外枠［図１０参照］Ｃへの密着と風等による横ずれを防止させる
【０００６】請求頁３では防水布カバー［図１参照］の両端に面ファスナー［図１３参照］を接着させサイドミラー［図１３参照］Ｂの内側にて重ねあわせ固定し防水布カバーの風などによる剥がれを防止させる．尚サイドミラー［図１５参照］を電動により折り曲げ格納させる事で面ファスナーの合わせ部分が剥がしにくくなり防水布カバーの盗難を防ぐ効果がある
【考案の効果】
【０００７】よって本考案の防水布カバーの使用により夏期には直射日光による車内温度の上昇を防ぎ冬期にはフロント硝子面への霜．雪等の付着を防止する事が出来面倒な霜．雪等の除去時間を省く事が出来る゜尚この結果暖房．冷房時間の短縮により燃費の改善に繋がる
【考案を実施するための最良の形態】
【０００８】本考案に係る防水布カバー［図９］に示すように対象とする自動車のフロントウインド外枠より一回り大きめの防水布カバー［図１］の裏面に芯だし板としてウレタン板等を上下左右の間隔を保ち複数枚接着させ．その周辺にベルト状磁石．ベルト状磁石板ゴム及び  面ファスナーを左右に複数枚接着．折りたたみ［図２］とする
尚．取付方法として［図４］に示すようにウインド外枠上部へベルト状磁石により接着．
［図５］は［図１２］のように下に開き下部ボンネットにベルト状磁石にて接着．固定させる
［図６］は折りたたみ防水布カバーを左に開き［図１１］に示すように左ウインド外枠へベルト磁石．ベルト状磁石板ゴムにて接着固定防水布カバー左端をサイドミラー内側へ面ファスナーを重ね合わせ固定する
［図７］［図８］は防水布カバーを右に開き［図９］は更に右に開きウインド外枠上部へベルト状磁石．で固定下部ボンネットにもベルト状磁石．で固定させる
［図１０］は更に右に開き防水布カバーを右側ウインド外枠上部へベルト磁石状下部へベルト状磁石板ゴムにて接着固定し防水布カバー右端をサイドミラー内側へ面ファスナーを重ね合わせ固定させ取付が終了する．
尚．防水布カバーの取外しについては［図９］［図８］［図７］［図６］［図５］［図４］の順で取付とは逆の順番で行い［図２］の状態で収納する
【図面の簡単な説明】
【０００９】
【図１】は防水布カバー裏面から見た正面図である
【図２】は防水布カバーを折りたたんだ状態の正面図である
【図３】は自動車ウインド外枠上部に防水布カバーの折りたたみ状態をベルト状磁石．にて接着させた左斜視図である
【図４】は自動車ウインド外枠に防水布カバーを折りたたみ状態でベルト状磁石にて接着させた状態の正面図である
【図５】は防水布カバーを［図４］の状態より下に伸ばしベルト状磁石を下部ボンネットに接着した状態の正面図である
【図６】は防水布カバーを左に開き上部．下部へベルト状磁石．ベルト状磁石一体化板ゴムを接着させ面ファスナーを左サイドミラー内側に固定させた状態の正面図である
【図７】は防水布カバーを右に開いた状態の正面図である
【図８】は防水布カバーを更に右に開いた状態の正面図である
【図９】は防水布カバーを［図８］より更に右に開き上部ウインド外枠にベルト状磁石にて接着固定し下部ボンネットにもベルト磁石で接着した状態の正面図である
【図１０】は防水布カバーを右に開き上部ウインド外枠へベルト状磁石で接着させ下部ウインド外枠にベルト状磁石一体化板ゴムを接着させ右サイドミラ−内側に面ファスナ−にて固定させ防水布カバ−がウインド外枠に取付が完成した状態の正面図である
【図１１】は防水布カバーを左ウインド外枠へ取付されサイドミラー内側に面ファスナーの合わせ重ね部の左側面図である
【図１２】は防水布カバーの折りたたみ終了状態より開く途中での左斜視図である
【図１３】は防水布カバーをウインド外枠に固定．面ファスナーとベルト状磁石板一体化板ゴム位置状態の左側面図である
【図１４】はベルト状磁石一体化板ゴムの斜視図である
【図１５】は防水布カバーをウインド外枠にベルト磁石．ベルト状磁石一体化板ゴム及び面ファスナ−にて固定されサイドミラ−が折りたたみ状態の左側面図である
【符号の説明】
【００１０】１        防水布カバー
２        ベルト状磁石一体化板ゴム
３        ベルト状磁石一体化板ゴム
４        ベルト状磁石一体化板ゴム
５        ベルト状磁石一体化板ゴム
６        ベルト状磁石上部
７        ベルト状磁石上部
８        ベルト状磁石下部
９        ベルト状磁石下部
１０      面ファスナー上部収納時折りたたみ用
１１      面ファスナー下部収納時折りたたみ用
１２      面ファスナー左サイドミラー内側固定用上
１３      面ファスナー右サイドミラー内側固定用上
１４      ウレタン板上部
１５      ウレタン板上部
１６      ウレタン板上部
１７      ウレタン板上部
１８      ウレタン板上部
１９      ウレタン板下部
２０      ウレタン板下部
２１      ウレタン板下部
２２      ウレタン板下部
２３      ウレタン板下部
２４      面ファスナー左サイドミラー内側固定用下
２５      面ファスナー右サイドミラー内側固定用下
Ｃ      フロントウインド硝子外枠
Ｄ      フロントウインド硝子
Ｂ      サイドミラー